(57)【要約】【課題】取扱性に優れると共に低価格である反射型スクリーンを提供する。【解決手段】プロジェクタ２から投射される光束を反射して映像を表示するための反射型スクリーン１０であって、シート状又はフィルム状の合成樹脂からなる基材１１と、前記基材の一面に形成され、前記映像を表示するための映像表示面１２と、前記基材の他面に形成され、任意の面（壁面４，天井面５，床面６等）に対して剥離自在に貼着可能な貼着面１３と、からなる反射型スクリーンを構成する。従って任意の面に対して貼着面を貼着することにより、反射型スクリーンを容易に設置できる。また基材がシート状又はフィルム状の合成樹脂からなるため、反射型スクリーンを軽量に構成できるので容易に保管及び運搬でき、また反射型スクリーンの設置場所に合わせた任意の形状に容易に加工でき、さらに反射型スクリーンを低価格で構成できる。【選択図】　　　　図１
2004054067.tif 000002
【特許請求の範囲】
【請求項１】
映像投射装置から投射される光束を反射して映像を表示するための反射型スクリーンであって、
シート状又はフィルム状の合成樹脂からなる基材と、
前記基材の一面に形成され、前記映像を表示するための映像表示面と、
前記基材の他面に形成され、任意の面に対して剥離自在に貼着可能な貼着面と、
からなることを特徴とする反射型スクリーン。
【発明の詳細な説明】
【０００１】
【発明の属する技術分野】
本発明は、映像投射装置から投射される光束を反射して映像を表示するための反射型スクリーンに係り、特に取扱性に優れると共に低価格である反射型スクリーンに関する。
【０００２】
【従来の技術】
従来より、映像投射装置であるプロジェクタから投射される光束を反射して反射型スクリーンに表示する映像投射システムが知られており、近年では、この映像投射システムを家庭に導入した、いわゆるホームシアターの市場が拡大してきている。
【０００３】
【発明が解決しようとする課題】
しかしながら、従来の映像投射システムでは、反射型スクリーンの取扱性が悪いため、プロジェクタの普及の妨げとなっていた。具体的には、例えばワイド６０型相当で１３５０ｍｍ×１９００ｍｍのロールスクリーンタイプの反射型スクリーンでは、所定の場所にスタンドやフレームを設置してする必要があるために設置が面倒であると共に、その形状が比較的大型かつその重量が比較的重いために保管及び運搬が面倒である（即ち取扱性が悪い）という問題点が生じていた。また該反射型スクリーンでは、その価格が最低でも数万円程度と比較的高価であるため、プロジェクタの普及の妨げとなっていた。
【０００４】
本発明は、このような背景のもとになされたものであり、その目的は、取扱性に優れると共に低価格である反射型スクリーンを提供することにある。
【０００５】
【課題を解決するための手段】
本発明は、前記課題を解決するために、次のような手段を採る。なお参考のために図面中の符号を付すが、本発明は該図面により限定されるものではない。
【０００６】
まず請求項１に係る発明は、映像投射装置（プロジェクタ２）から投射される光束を反射して映像を表示するための反射型スクリーン（１０）であって、シート状又はフィルム状の合成樹脂からなる基材（１１）と、前記基材の一面に形成され、前記映像を表示するための映像表示面（１２）と、前記基材の他面に形成され、任意の面（壁面４，天井面５，床面６等）に対して剥離自在に貼着可能な貼着面（１３）と、からなることを特徴とする反射型スクリーンである。これによれば、任意の面に対して貼着面を貼着することにより、反射型スクリーンを容易に設置できる。また基材がシート状又はフィルム状の合成樹脂からなるため、反射型スクリーンを軽量に構成できるので容易に保管及び運搬でき、また反射型スクリーンの設置場所に合わせた任意の形状に容易に加工でき、さらに反射型スクリーンを低価格で構成できる。
【０００７】
【発明の実施の形態】
以下、本発明の実施の形態を、図面を参照して説明する。本発明に係る反射型スクリーン１０は、図１（ａ）に示すように、前述したのと同様の映像投射システム１に用いられ、映像投射装置であるプロジェクタ２から投射される光束を反射して映像を表示するためのものであり、特に建物３の任意の面である壁面４，天井面５，又は床面６（この図では壁面４）に貼着されて用いられるものである。以下、各構成要素について説明する。
【０００８】
プロジェクタ２は映像投射装置の一例であって、例えば小型のＣＲＴやライトバルブに表示された画像を投射レンズによりスクリーンに拡大投射する装置である。建物３の内部は暗室環境であることが好ましいが、プロジェクタ２の種類によっては明室環境でも良い。建物３の任意の面である壁面４，天井面５，又は床面６は、後述する反射型スクリーン１０が貼着容易なように、平滑面であることが好ましい。ここで壁面４には、窓等のガラス面や、白板の表面等も含まれる。また壁面４は、建物３の内壁面には限られず外壁面でも良く、また垂直面には限られず傾斜面でも良い。
【０００９】
反射型スクリーン１０は、図１（ｂ）（ｃ）に示すように、シート状又はフィルム状の合成樹脂からなる基材１１と、該基材１１の一面に形成され、映像を表示するための映像表示面１２と、該基材１１の他面に形成され、任意の面（ここでは壁面４）に対して剥離自在に貼着可能な貼着面１３と、からなる。なお貼着面１３は、剥離紙１４で保護されている。
【００１０】
基材１１は、ポリエステル，アクリル，ポリカーボネート，ポリオレフィン，ポリ塩化ビニル，ポリプロピレン，ポリエチレン等の合成樹脂からなり、ここではポリエステルからなる。また基材１１は、シート状又はフィルム状であり、ここでは厚さが０．２ｍｍで、大きさがワイド６０型相当で１３５０ｍｍ×１９００ｍｍの長方形で、重さが約３００ｇのものである。
【００１１】
映像表示面１２は、反射率の高い塗料が塗布されてスクリーン化されている。具体的には、例えば亜鉛，アルミニウム，マグネシウム等の酸化物が油性塗料として塗布されてホワイトスクリーン化されたり、又はアルミニウムの粉末が塗布されてシルバースクリーン化される。なお映像表示面１２の構成はこれに限られず、基材１１の一面（全面又は一部分のいずれも可）に形成され、映像を表示するものであれば良い。
【００１２】
貼着面１３は、粘着層や粘弾性体が形成されている。具体的には、例えば放射線硬化型インキがスクリーン印刷等により塗布された後に放射線が照射されて粘着層が形成されたり、又は吸盤としての機能を発揮する空洞構造を形成可能な組成物がスクリーン印刷等によって塗布されて吸盤としての機能を発揮する空洞構造の繰り返し単位を有する粘弾性体が形成される。このように形成された粘着層や粘弾性体は、剥離と貼着を繰り返して使用することによりゴミが付着して貼着性能が低下しても、表面を水でふき取って除去することにより、粘着機能を復活することができる。なお貼着面１３の構成はこれに限られず、基材１１の他面（全面又は一部分のいずれも可）に形成され、任意の面に対して剥離自在に貼着可能なものであれば良い。
【００１３】
剥離紙１４は、使用前の貼着面１３を保護するためのものであり、例えば紙や合成樹脂フィルムにより形成される。このような目的で使用する剥離紙１４は、表面処理が行われていない一般的な製品を用いることができるが、表面に離型層を形成したものであっても良い。
【００１４】
以上に説明した本発明に係る反射型スクリーン１０は、以下のようにして使用される。投射するプロジェクタ２の種類，建物３の室内環境，視聴者席の視野角等を含めてトータルに検討して、設置場所に合わせた反射型スクリーン１０を選択する。ここで設置場所に合わせて、反射型スクリーン１０を任意の形状に加工（例えば切断）したり、複数枚の反射型スクリーン１０を張り合わせて大スクリーン化しても良い。
【００１５】
次に図１（ｂ）に示すように、剥離紙１４を除去して貼着面１３を露出させ、図１（ｃ）に示すように、任意の面（ここでは壁面４）に貼着面１３を貼着して、図１（ａ）に示すように、映像表示面１２がプロジェクタ２に対向する位置に反射型スクリーン１０を設置する。この状態でプロジェクタ２から光束が投射されると、該光束が映像表示面１２で反射されて、該映像表示面１２に映像が表示される。なお反射型スクリーン１０は、壁面４から容易に剥離可能であり、再び任意の面に貼着して使用可能である。また反射型スクリーン１０は、張力があって皺になりにくいので、例えば筒状に丸めて保管及び運搬できる。さらに反射型スクリーン１０は水にも強いので、屋外でも使用できる。
【００１６】
このように、本発明に係る反射型スクリーン１０によれば、任意の面（壁面４，天井面５，又は床面６）に対して貼着面１３を貼着することにより、反射型スクリーン１０を容易に設置できる。また基材１１がシート状又はフィルム状の合成樹脂からなるため、反射型スクリーン１０を軽量に構成できるので容易に保管及び運搬でき、また反射型スクリーン１０の設置場所に合わせた任意の形状に容易に加工でき、さらに反射型スクリーン１０を低価格で構成できる。
【００１７】
なお反射型スクリーン１０は、家庭用のホームシアターに適用されるものには限られず、業務用のパブリックビューイングに適用されるものでも良い。また映像投射装置は、プロジェクタには限られず、映画用の映写機でも良い。
【００１８】
【発明の効果】
本発明に係る反射型スクリーン１０によれば、容易に設置できると共に容易に保管及び運搬できるので取扱性に優れており、かつ低価格で提供できる。従って、本発明に係る反射型スクリーン１０を、例えばプロジェクタ２の購入者にノベルティとして提供することにより、プロジェクタ２の販売促進に寄与することもできる。
【図面の簡単な説明】
【図１】図１（ａ）は本発明に係る反射型スクリーンを含む映像投射システム（ホームシアター）の一例を表す立面図であり、図１（ｂ）は反射型スクリーンの一例を表す平面図であり、図１（ｃ）は反射型スクリーンの一例を表す拡大側面図である。
【符号の説明】
１…映像投射システム
２…プロジェクタ
３…建物
４…壁面
５…天井面
６…床面
１０…反射型スクリーン
１１…基材
１２…映像表示面
１３…貼着面
１４…剥離紙
【図１】
2004054067.tif 000003